(57)【特許請求の範囲】
【請求項１】
カードが挿脱可能なスロットを有するボディと、
前記カードと共に少なくとも前記ボディ内の第１位置と当該第１位置よりも前記カードの排出方向側に位置する第２位置との間をスライド自在となるように、当該ボディ内に設けられたスライダと、
前記第１位置に位置する前記スライダを前記排出方向に付勢する付勢部と、
カバーとを備えており、
前記カバーは、前記スロットを覆うように前記ボディに固着されたカバー本体と、
板バネとを有しており、
前記板バネは、前記カバー本体から前記排出方向に延びた板である基部と、
前記基部に連続しており且つ当該基部に対して折り曲げられた先端部とを有しており、
前記板バネの前記先端部は、前記第２位置に位置する前記スライダに前記カードの挿入方向側から弾性的に当接可能となるように前記ボディ内に配置されており、
前記スライダが前記板バネの前記先端部に当接することにより当該先端部にかかる荷重により、前記板バネの前記基部が前記ボディから離れる方向に弾性変形可能であるカードコネクタ。
【請求項２】
請求項１記載のカードコネクタにおいて、
前記板バネの少なくとも一部は、前記第２位置で前記スライダに前記カードの前記挿入方向側から弾性的に当接可能となるように前記ボディ内に配置されているカードコネクタ。
【請求項３】
請求項１〜２の何れかに記載のカードコネクタにおいて、
前記スライダは、前記カードの係合凹部に係合可能であり且つ前記係合凹部から脱する脱方向に少なくとも部分的に変位可能である係合部を有しており、
前記ボディは、許容空間を更に有しており、
前記許容空間は、前記ボディ内に設けられており、且つ前記スライダが前記第２位置に位置しているときに、前記係合部の前記脱方向への変位を許容するカードコネクタ。
【請求項４】
請求項２記載のカードコネクタにおいて、
前記スライダは、前記ボディ内で前記第２位置を越えて、当該第２位置よりも前記排出方向に設けられた第３位置にスライド可能になっており、前記スライダは、前記カードの係合凹部に係合可能であり且つ前記係合凹部から脱する脱方向に少なくとも部分的に変位可能である係合部を有しており、
前記ボディは、許容空間と、当接部とを更に有しており、
前記許容空間は、前記ボディ内に設けられており、且つ前記スライダが前記第２位置に位置しているときに、前記係合部の前記脱方向への変位を許容するようになっており、
前記当接部は、前記ボディ内の前記許容空間よりも前記排出方向側に設けられており且つ前記スライダが前記第３位置に位置しているときに、前記脱方向側から前記係合部に当接して当該係合部の前記脱方向への変位を不能にしており、
前記カバーの前記板バネは、前記第２位置から前記第３位置へスライドする前記スライダによって前記排出方向に押圧され、前記排出方向に弾性変形可能であるカードコネクタ。
【請求項５】
請求項１記載のカードコネクタにおいて、
前記スライダは、前記カードの係合凹部に係合可能であり且つ前記係合凹部から脱する脱方向に少なくとも部分的に変位可能である係合部を有しており、
前記ボディは、許容空間と、当接部とを更に有しており、
前記許容空間は、前記ボディ内に設けられており、且つ前記スライダが前記第１位置と前記第２位置との間の第３位置に位置しているときに、前記係合部の前記脱方向への変位を許容しており、
前記当接部は、前記ボディ内の前記許容空間よりも前記排出方向側に設けられており且つ前記スライダが前記第２位置に位置しているときに、前記脱方向側から前記係合部に当接して当該係合部の前記脱方向への変位を不能にするカードコネクタ。
【請求項６】
請求項４記載のカードコネクタにおいて、
前記当接部は、前記脱方向の反対方向側の第１面と、
前記挿入方向側の第２面と、
前記第１面と前記第２面が当接する角部とを有しており、
前記係合部と、前記当接部の前記第１面に沿って前記排出方向に延びる仮想線との位置関係は、１）前記係合部が前記仮想線よりも部分的に前記脱方向側に位置し、２）前記係合部が前記第２面に当接可能であり、且つ３）前記スライダが前記第２位置から前記第３位置へ移動するとき、前記係合部が前記角部を乗り越えて前記第１面に当接可能である位置関係であるカードコネクタ。
【請求項７】
請求項４記載のカードコネクタにおいて、
前記板バネの前記先端部は、前記第２位置から前記第３位置へスライドする前記スライダによって前記排出方向に押圧されることにより、前記排出方向に弾性変形可能であり、
前記スライダが前記板バネの前記先端部を押圧することにより当該先端部にかかる荷重により、前記板バネの前記基部が前記ボディから離れる方向に弾性変形可能であるカードコネクタ。
【請求項８】
請求項１〜７の何れかに記載のカードコネクタにおいて、
前記ボディは、当該ボディ内に前記スロットに隣接するように設けられており且つ前記スライダをスライド自在に収容する収容部と、
当該ボディの前記収容部よりも前記排出方向側の部分に設けられており且つ前記板バネの前記先端部が挿入された挿入孔とを更に有しているカードコネクタ。
【請求項９】
請求項８記載のカードコネクタにおいて、
前記ボディは、当該ボディの前記収容部と前記挿入孔との間に設けられており且つ前記板バネの前記基部を支持する支持部と、
前記収容部と前記挿入孔とが連通するように当該ボディの前記支持部を貫通した連通孔とを更に有しており、
前記スライダは、前記連通孔から前記挿入孔内に挿入され、前記板バネの前記先端部に弾性的に当接可能である突起を更に有しているカードコネクタ。
【請求項１０】
請求項８〜９の何れかに記載のカードコネクタにおいて、
前記スロット及び前記挿入孔は、前記排出方向及び前記挿入方向に交差する交差方向の一方側に開口されており、
前記カバー本体は、前記スロットを前記交差方向の一方側から覆っており、
前記板バネの前記先端部は、前記基部から前記交差方向の他方側に延びており、前記挿入孔に前記交差方向の一方側から挿入されているカードコネクタ。
【発明の詳細な説明】
【技術分野】
【０００１】
本発明は、カードコネクタに関する。
【背景技術】
【０００２】
従来のカードコネクタが下記特許文献１に記載されている。このカードコネクタは、ボディと、スライダアッセンブリと、第１スプリングと、第２スプリングと、カバーを備えている。ボディは、カードが挿脱可能なスロットを有している。スライダアッセンブリは、ボディ内の第１位置から第２位置を越えて第３位置へカードと共にスライド可能に設けられている。第１位置は、スロットに挿入されたカードがカードコネクタに接続される接続位置である。第２位置は、カードがスロットから排出可能な排出位置である。第３位置は、カードがスロットからの飛び出しを防止する飛び出し防止位置である。第１スプリングは、第１位置に位置するスライダアッセンブリに対して第３位置への付勢力を付与する。第２スプリングは、スライダアッセンブリが第３位置に位置するとき、当該スライダアッセンブリに弾性的に接触して当該スライダアッセンブリを第２位置へ押し戻す。カバーは、ボディに取り付けられ、スライダアッセンブリ、第１スプリング及び第２スプリングを覆っている。
【先行技術文献】
【特許文献】
【０００３】
【特許文献１】特許第４０５０２９９号公報
【発明の概要】
【発明が解決しようとする課題】
【０００４】
上記カードコネクタは、二つのコイルスプリングを必要としているため、部品点数が多い。
【０００５】
本発明は、上記事情に鑑みて創案されたものであって、その目的とするところは、部品点数の低減を図ることができるカードコネクタを提供することにある。
【課題を解決するための手段】
【０００６】
上記課題を解決するために、本発明のカードコネクタは、ボディと、スライダと、付勢部と、カバーとを備えている。ボディは、カードが挿脱可能なスロットを有する。スライダは、カードと共に少なくともボディ内の第１位置と当該第１位置よりもカードの排出方向側に位置する第２位置との間をスライド自在となるように、当該ボディ内に設けられている。付勢部は、第１位置に位置するスライダを排出方向に付勢するようになっている。カバーは、カバー本体と、板バネとを有している。カバー本体は、スロットを覆うようにボディに固着されている。板バネは、カバー本体から排出方向に延びた板である基部と、この基部に連続しており且つ当該基部に対して折り曲げられた先端部とを有している。板バネの先端部は、第２位置するスライダにカードの挿入方向側から弾性的に当接可能となるようにボディ内に配置されている。スライダが板バネの先端部に当接することにより当該先端部にかかる荷重により、板バネの基部がボディから離れる方向に弾性変形可能である。
【０００７】
このような態様のカードコネクタは、部品点数の低減を図ることができる。その理由は以下の通りである。スライダが付勢部に付勢されることによって、スライダが第１位置から第２位置へ移動する。その過程で、カバーの板バネが、第１位置よりも排出方向側でスライダに弾性的に当接するので、スライダの排出方向への移動の勢いを抑制することができる。よって、本カードコネクタは当該移動の勢いを抑制するためのコイルスプリング等の弾性体の分、部品点数を低減することができる。
また、前記カードコネクタは、板バネの長寿命化を図ることができる。スライダが板バネの先端部に当接することにより当該先端部にかかる荷重が、板バネの基部及び先端部の弾性変形によって吸収されるためである。
【０００８】
板バネの少なくとも一部は、第２位置でスライダに挿入方向側から弾性的に当接可能となるようにボディ内に配置された構成とすることが可能である。
【０００９】
スライダは、係合部を有する構成とすることが可能である。係合部は、カードの係合凹部に係合可能であり且つ係合凹部から脱する脱方向に少なくとも部分的に変位可能である構成とすることが可能である。ボディは許容空間を更に有する構成とすることが可能である。許容空間は、ボディ内に設けられており、且つスライダが第２位置に位置しているときに、係合部の脱方向への変位を許容するようになっていると良い。
【００１０】
このような態様のカードコネクタによる場合、スライダが第２位置に位置しているときに、カードをカードコネクタから容易に取り出すことができる。スライダが第２位置に位置しているときに、係合部が許容空間で脱方向へ変位し、係合部とカードの係合凹部との係合が容易に解除できるためである。
【００１１】
スライダは、ボディ内で第２位置を越えて、当該第２位置よりも排出方向に設けられた第３位置にスライド可能な構成とすることが可能である。ボディは、当接部を更に有する構成とすることが可能である。当接部は、ボディ内の許容空間よりも排出方向側に設けられており且つスライダが第３位置に位置しているときに、脱方向側から係合部に当接して当該係合部の脱方向への変位を不能にする構成とすることが可能である。カバーの板バネは、第２位置から第３位置へスライドするスライダによって排出方向に押圧され、排出方向に弾性変形する構成とすることが可能である。
【００１２】
このような態様のカードコネクタは、以下の技術的特徴及び効果を奏する。第１に、カードの排出方向への飛び出しを防止することができる。スライダが第３位置に位置しているときに、当接部が脱方向側から係合部に当接して当該係合部の脱方向への変位を不能にする。これにより、係合部がカードの係合凹部に係合された状態が維持されるので、カードの排出方向への飛び出しが防止される。第２に、スライダの第２位置を越えた排出方向の移動の勢いを抑制することができる。カバーの板バネの弾性変形によって、スライダに対して挿入方向に荷重がかかるためである。
【００１３】
第３位置は、第２位置よりも排出方向側ではなく、ボディ内の第１位置と第２位置との間に設けられていても良い。この場合、１）及び２）の構成とすることが可能である。１）許容空間は、スライダが第３位置に位置しているときに、係合部の脱方向への変位を許容する空間とすることが可能である。２）当接部は、スライダが第２位置に位置しているときに、脱方向側から係合部に当接して当該係合部の脱方向への変位を不能にする構成とすることが可能である。
【００１４】
このような態様のカードコネクタは、以下の技術的特徴及び効果を奏する。第１に、カードの排出方向への飛び出しを防止することができる。スライダが第２位置に位置しているときに、当接部が脱方向側から係合部に当接して当該係合部の脱方向への変位を不能にする。これにより、係合部がカードの係合凹部に係合された状態が維持されるので、カードの排出方向への飛び出しが防止される。第２に、スライダが第３位置に位置しているときに、カードをカードコネクタから容易に取り出すことができる。スライダが第３位置に位置しているときに、係合部が許容空間で脱方向へ変位し、係合部とカードの係合凹部との係合が容易に解除できるためである。
【００１５】
当接部は、脱方向の反対方向側の第１面と、挿入方向側の第２面と、第１面と第２面が当接する角部を有する構成とすることが可能である。係合部と、当接部の第１面に沿って排出方向に延びる仮想線との位置関係は、１）係合部が仮想線よりも部分的に脱方向側に位置し、２）係合部が第２面に当接可能であり、且つ３）スライダが第２位置から第３位置へ移動するとき、係合部が角部を乗り越えて第１面に当接可能である位置関係とすることが可能である。
【００１６】
このような態様のカードコネクタによる場合、スライダが第２位置を越えて第３位置へ移動する可能性を抑制することができる。スライダが第１位置から第２位置へ移動すると、スライダが板バネに弾性的に当接すると共に、係合部が部分的に当接部の第２面に当接するからである。
【００１９】
板バネの先端部は、第２位置から第３位置へスライドするスライダによって排出方向に押圧されることにより、排出方向に弾性変形可能な構成とすることが可能である。この場合、スライダが板バネの先端部を押圧することにより当該先端部にかかる荷重により、板バネの基部がボディから離れる方向に弾性変形可能である構成とすることが可能である。
【００２０】
このような態様のカードコネクタは、以下の技術的特徴及び効果を奏する。第１に、スライダの第２位置を越えた排出方向の移動の勢いを更に抑制することができる。カバーの板バネの基部及び先端部の弾性変形によって、スライダに対して挿入方向に荷重がかかるためである。第２に、板バネの長寿命化を図ることができる。スライダが板バネの先端部に当接することにより当該先端部にかかる荷重が、板バネの基部及び先端部の弾性変形によって吸収されるためである。
【００２１】
ボディは、収容部と、挿入孔とを更に有する構成とすることが可能である。収容部は、ボディ内にスロットに隣接するように設けられており且つスライダをスライド自在に収容する構成とすることが可能である。挿入孔は、ボディの収容部よりも排出方向側の部分に設けられた構成とすることが可能である。板バネの先端部が挿入孔内に挿入された構成とすることが可能である。
【００２２】
このような態様のカードコネクタは、組み立てが容易である。カバーのカバー本体をボディに取り付けるときに、板バネの先端部が挿入孔に挿入される。このようにカバー本体のボディに対する取り付け及び板バネのボディ内への配置を一度に行うことができる。
【００２３】
ボディは、支持部と、連通孔とを更に有する構成とすることが可能である。支持部は、ボディの収容部と挿入孔との間に設けられており且つ板バネの基部を支持する構成とすることが可能である。連通孔は、収容部と挿入孔とが連通するように当該ボディの支持部を貫通した構成とすることが可能である。スライダは、連通孔から挿入孔内に挿入され、板バネの先端部に弾性的に当接可能である突起を更に有する構成とすることが可能である。
【００２４】
このような態様のカードコネクタは、板バネが支持部に支持されているため、カードコネクタに対して外部から振動や衝撃が加わったとしても、当該振動や衝撃による板バネのぐらつきが抑制される。
【００２５】
スロット及び挿入孔は、排出方向及び挿入方向に交差する交差方向の一方側に開口された構成とすることが可能である。カバー本体は、スロットを交差方向の一方側から覆う構成とすることが可能である。板バネの先端部は、基部から交差方向の他方側に延びており、挿入孔に交差方向の一方側から挿入される構成とすることが可能である。
【００２６】
このような態様のカードコネクタは、組み立てが更に容易になる。交差方向の一方側からカバーのカバー本体をボディに取り付けるときに、板バネの先端部が交差方向の一方側から挿入孔に挿入されるためである。
【図面の簡単な説明】
【００２７】
【図１Ａ】本発明の実施例に係るカードコネクタ及びカードの正面、平面及び左側面を表した斜視図であって、前記カードが前記カードコネクタに接続された状態を示す図である。
【図１Ｂ】前記カードコネクタ及び前記カードの背面、底面及び右側面を表した斜視図であって、前記カードが前記カードコネクタに接続された状態を示す図である。
【図１Ｃ】前記カードコネクタのカバーを取り外した状態の正面、平面及び右側面を表した斜視図であって、当該カードコネクタのスライダが第３位置に位置している状態を示す図である。
【図２Ａ】前記カードコネクタ及び前記カードの図１Ａ中の２Ａ−２Ａ断面図であって、当該カードコネクタのスライダが第１位置に位置している状態を示す図である。
【図２Ｂ】前記カードコネクタ及び前記カードの図１Ａ中の２Ｂ−２Ｂ断面図であって、当該カードコネクタのスライダが第１位置に位置している状態を示す図である。
【図３Ａ】前記カードコネクタの正面、平面及び左側面を表した分解斜視図及び前記カードの正面、平面及び左側面を表した斜視図である。
【図３Ｂ】前記カードコネクタの背面、底面及び右側面を表した分解斜視図及びカードの背面、底面及び右側面を表したである。
【図４Ａ】前記カードコネクタ及び前記カードの図２Ａに対応する断面図であって、当該カードコネクタのスライダが第２位置に位置している状態を示す図である。
【図４Ｂ】前記カードコネクタ及び前記カードの図２Ｂに対応する断面図であって、当該カードコネクタのスライダが第２位置に位置している状態を示す図である。
【図５Ａ】前記カードコネクタ及び前記カードの図２Ａに対応する断面図であって、当該カードコネクタのスライダが第３位置に位置している状態を示す図である。
【図５Ｂ】前記カードコネクタ及び前記カードの図２Ｂに対応する断面図であって、当該カードコネクタのスライダが第３位置に位置している状態を示す図である。
【図６Ａ】前記カードコネクタの第１設計変形例を示す断面図であって、当該カードコネクタのスライダが第３位置に位置している状態を示す図である。
【図６Ｂ】前記カードコネクタの第２設計変形例を示す断面図であって、当該カードコネクタのスライダが第１位置に位置している状態を示す図である。
【発明を実施するための形態】
【００２８】
以下、本発明の実施例に係るカードコネクタＣについて図１Ａ〜図５Ｂを参照しつつ説明する。カードコネクタＣは、カードＭが接続可能なコネクタである。以下、これらについて詳しく説明する。なお、図２Ａ〜図５Ｂに示されるＹ−Ｙ’方向は、カードＭのカードコネクタＣに対する挿脱方向に相当する。Ｙ方向は特許請求の範囲のカードの排出方向に相当する。Ｙ’方向は特許請求の範囲のカードの挿入方向（排出方向の反対方向）に相当する。図２Ａ、図３Ａ〜図３Ｂ、図４Ａ及び図５Ａに示されるＸ−Ｘ’方向は、カードコネクタＣの幅方向に相当する。Ｘ−Ｘ’方向は、Ｙ−Ｙ’方向に直角に交差する。Ｘ’方向は、特許請求の範囲の係合部の脱方向に相当する。図２Ｂ、図３Ａ〜図３Ｂ、図４Ｂ及び図５Ｂに示されるＺ−Ｚ’方向は、特許請求の範囲の交差方向及びカードコネクタＣの厚み方向に相当する。Ｚ−Ｚ’方向は、Ｙ−Ｙ’方向及びＸ−Ｘ’方向に直角に交差する。Ｚ方向は、特許請求の範囲の交差方向の一方側に相当し、Ｚ’方向は特許請求の範囲の交差方向の他方側に相当する。
【００２９】
カードＭは、例えば、ＩＣカード、ＰＣカード、ＳＩＭカード、ＳＤカード、ｍｉｎｉＳＤカード等である。カードＭは、図３Ｂに最も良く示されているように、係合凹部Ｍ１と、嵌合凹部Ｍ２と、複数の電極Ｍ３とを備えている。係合凹部Ｍ１は、カードＭのＸ’方向側の端部の中央部に設けられている。嵌合凹部Ｍ２は、カードＭのＸ’方向及びＹ’方向側の角部に設けられている。電極Ｍ３は、カードＭのＹ’方向側の端部のＺ’方向側の端面（底面）にＸ−Ｘ’方向に間隔をあけて設けられている。
【００３０】
カードコネクタＣは、ボディ１００と、複数の端子２００と、スライダ３００と、付勢部５００と、ハートカム機構Ｈと、第１スイッチ端子６００ａと、第２スイッチ端子６００ｂと、カバー７００とを備えている。
【００３１】
ボディ１００は絶縁樹脂で構成されている。ボディ１００は、図１Ｃ、図２Ａ及び図３Ｂに最も良く示されているように、スロット１１０と、複数の保持溝１２０と、第１収容部１３０と、挿入孔１４０と、支持部１５０と、連通孔１６０と、第２収容部１７０と、複数の第１係合突部１８０と、図示しない第２係合突部と、Ｘ方向側の外面と、Ｘ’方向側の外面と、Ｙ’方向側の外面とを有している。なお、第１収容部１３０が特許請求の範囲の収容部に相当する。
【００３２】
スロット１１０は、ボディ１００に設けられた凹部である。スロット１１０は、Ｙ方向及びＺ方向に開口している。スロット１１０は、Ｚ’方向側の面と、Ｙ’方向の壁とを有している。スロット１１０のＸ−Ｘ’方向の寸法は、カードＭのＸ−Ｘ’方向の寸法に対応している。スロット１１０のＺ−Ｚ’方向の寸法は、カードＭのＺ−Ｚ’方向の寸法に対応している。スロット１１０のＹ−Ｙ’方向の寸法は、カードＭのＹ−Ｙ’方向の寸法よりも小さい。このスロット１１０に対してカードＭがＹ−Ｙ’方向に挿脱可能となっている。なお、図２Ａ及び図２Ｂに示されるカードＭの位置は、カードＭがカードコネクタＣに接続される接続位置である。図４Ａ及び図４Ｂに示されるカードＭの位置は、カードＭがカードコネクタＣのスロット１１０から排出可能な排出位置である。図５Ａ及び図５Ｂに示されるカードＭの位置は、カードＭがスロット１１０から飛び出しが防止される飛び出し防止位置である。
【００３３】
保持溝１２０は、図３Ａに最も良く示されているように、スロット１１０のＺ’方向側の面（底面）にＸ−Ｘ’方向に間隔をあけて設けられている。保持溝１２０は、Ｙ−Ｙ’方向に延びており且つスロット１１０のＹ’方向の壁を貫通した長溝である。
【００３４】
第１収容部１３０は、ボディ１００のスロット１１０のＸ’方向側の部分に当該スロット１１０に連通するように設けられた凹部である。第１収容部１３０は、Ｙ−Ｙ’方向に延びており且つＺ方向に開放されている。第１収容部１３０は、スロット１１０よりもＺ’方向に窪んでいる。第１収容部１３０は、Ｙ’方向側の壁と、Ｙ方向側の端部と、円柱１３１と、当接部１３２と、許容空間１３３とを有している。
【００３５】
円柱１３１は、図２Ａに最も良く示されているように、第１収容部１３０のＹ’方向側の壁からＹ方向に延びている。当接部１３２は、第１収容部１３０内のＹ方向側の端部のＸ’方向側の部分に設けられた矩形状のブロックである。当接部１３２は、Ｘ方向側（脱方向の反対方向側）の第１面１３２ａと、Ｙ’方向側（挿入方向側）の第２面１３２ｂと、角部１３２ｃとを有している。角部１３２ｃは、第１面１３２ａと第２面１３２ｂとが当接する当接部１３２の角部である。許容空間１３３は、第１収容部１３０内の当接部１３２よりもＹ’方向側に設けられている。換言すると、当接部１３２は、許容空間１３３よりもＹ方向側（排出方向側）に位置している。許容空間１３３のＸ−Ｘ’方向の寸法は、当接部１３２がない分、第１収容部１３０内のＹ方向側の端部のＸ−Ｘ’方向の寸法よりも大きい。
【００３６】
挿入孔１４０は、図２Ａ及び図２Ｂに最も良く示されているように、ボディ１００の第１収容部１３０のＹ方向側に設けられている。挿入孔１４０はボディ１００をＺ−Ｚ’方向に貫通している。すなわち、挿入孔１４０は、Ｚ方向及びＺ’方向に開口している。支持部１５０は、ボディ１００の第１収容部１３０と挿入孔１４０との間に設けられた壁である。連通孔１６０は、支持部１５０のＺ’方向側且つＸ方向側の部分をＹ−Ｙ’方向に貫通した貫通孔である。連通孔１６０は、当接部１３２よりもＸ方向側に位置している。連通孔１６０を通じて第１収容部１３０と挿入孔１４０とが連通している。連通孔１６０のＸ−Ｘ’方向の寸法は、第１収容部１３０のＸ−Ｘ’方向の寸法よりも小さい。連通孔１６０のＺ−Ｚ’方向の寸法は、第１収容部１３０のＺ−Ｚ’方向の寸法よりも小さい。
【００３７】
第２収容部１７０は、図１Ｂに最も良く示されているように、ボディ１００のスロット１１０のＸ方向側の部分に設けられた凹部であって、Ｚ’方向に開口している。第２収容部１７０は、Ｘ’方向の開口を有している。図２Ａに示されているようにＸ’方向の開口によって、第２収容部１７０がスロット１１０に連通している。
【００３８】
第１係合突部１８０は、図３Ａに最も良く示されているように、ボディ１００のＸ方向側の外面及びＸ’方向側の外面に各々Ｙ−Ｙ’方向に間隔をあけて設けられている。また、第２係合突部がボディ１００のＹ’方向側の外面にＸ−Ｘ’方向に間隔をあけて設けられている。
【００３９】
各端子２００は金属板で構成されている。端子２００は、図３Ａ及び図３Ｂに最も良く示されているように、固定板２１０と、接点部２２０と、テール部２３０とを有している。固定板２１０は、Ｙ−Ｙ’方向に延びた板である。固定板２１０は、Ｙ方向側の端と、Ｙ’方向側の端とを有する。接点部２２０は、固定板２１０のＹ方向側の端に連続し且つＺ方向及びＹ’方向に折り返された板である。接点部２２０はＺ方向に凸となるように湾曲している。テール部２３０は、固定板２１０のＹ’方向側の端に連続しており且つＹ−Ｙ’方向に延びた板である。
【００４０】
端子２００の固定板２１０が保持溝１２０に各々保持されている。保持溝１２０の間隔はカードＭの電極Ｍ３の間隔に対応しているため、端子２００も、電極Ｍ３に各々対応する位置に配置されている。端子２００の接点部２２０が保持溝１２０からＺ方向に突出している。接点部２２０が電極Ｍ３に各々接触可能な部位である。接続位置でカードＭの電極Ｍ３が接点部２２０に接触することにより、カードＭがカードコネクタＣに接続される。これが、上記したカードＭの接続位置である。端子２００のテール部２３０は、保持溝１２０からＹ’方向に各々突出している。テール部２３０が図示しない基板の複数の第１電極に各々接続可能な部位である。
【００４１】
第１スイッチ端子６００ａ及び第２スイッチ端子６００ｂは、カードＭが接続位置に位置したか否かを検出する位置検出スイッチである。第２スイッチ端子６００ｂは、金属板で構成されている。第２スイッチ端子６００ｂは、図２Ａに示されるように、ボディ１００の第２収容部１７０内に収容されている。第２スイッチ端子６００ｂは、図３Ａ及び図３Ｂに最も良く示されているように、ベース６１０ｂと、傾斜部６２０ｂと、接続部６３０ｂとを有している。ベース６１０ｂは、略Ｌ字状の板である。ベース６１０ｂは、第１板及び第２板を有している。ベース６１０ｂの第１板は、Ｙ−Ｙ’方向に延びている。ベース６１０ｂの第２板は、第１板のＹ’方向側の端部からＺ方向に延びた板である。ベース６１０ｂのＹ’方向側の端部及び第２板が、第２収容部１７０のＹ’方向側の内壁に設けられた圧入溝に圧入されている。接続部６３０ｂは、ベース６１０ｂの第１板のＹ方向側の端からＸ方向に延びた板であって、第２収容部１７０外に突出している（図２Ａ参照）。接続部６３０ｂが上記基板の一対の第２電極の一方に接続可能である。傾斜部６２０ｂは、ベース６１０ｂの第２板からＹ方向及びＸ’方向の成分を含む方向に傾斜しつつ延びた板である。傾斜部６２０ｂは、Ｘ−Ｘ’方向に弾性変形可能である。
【００４２】
第１スイッチ端子６００ａは、金属板で構成されている。第１スイッチ端子６００ａは、図３Ａ及び図３Ｂに最も良く示されているように、ベース６１０ａと、傾斜部６２０ａと、接続部６３０ａとを有している。ベース６１０ａは、略Ｌ字状の板である。ベース６１０ａは、第１板及び第２板を有している。ベース６１０ａの第１板は、Ｙ−Ｙ’方向に延びている。ベース６１０ａの第２板は、第１板のＹ方向側の端からＺ方向に延びた板である。ベース６１０ａのＹ方向側の端部及び第２板が、第２収容部１７０のＹ方向側の内壁に設けられた圧入溝に圧入されている。接続部６３０ａは、ベース６１０ａの第１板のＹ’方向側の端部からＸ方向に延びた板であって、第２収容部１７０外に突出している（図２Ａ参照）。接続部６３０ａが上記基板の他方の第２電極に接続可能である。傾斜部６２０ａは、ベース６１０ａの第２板からＹ’方向及びＸ’方向の成分を含む方向に傾斜しつつ延びた板である。傾斜部６２０ａは、Ｘ−Ｘ’方向に弾性変形可能である。傾斜部６２０ａの自由端部は、Ｘ’方向に凸の略Ｖ字状に折り曲げられている（これを折曲部と称する。）。傾斜部６２０ａの折曲部が第２収容部１７０のＸ’方向の開口を通じてスロット１１０内に挿入されている。傾斜部６２０ａの折曲部は、接続位置に位置するカードＭにＸ方向に押圧される部分である。この傾斜部６２０ａの折曲部がカードＭにＸ方向に押圧されることによって、傾斜部６２０ａがＸ方向に弾性変形する。傾斜部６２０ａの自由端部の先端は、傾斜部６２０ｂの自由端部の先端のＸ’方向側に間隙を有して対向配置されている。傾斜部６２０ａがＸ方向の弾性変形することによって、傾斜部６２０ａの自由端部の先端が傾斜部６２０ｂの自由端部の先端に接触する。この接触により、上記位置検出スイッチがオンになり、カードＭが接続位置に位置していることが検出される。
【００４３】
スライダ３００は、図１Ｃ、図２Ａ、図２Ｂ及び図４Ａ〜図５Ｂに示されるようにＹ−Ｙ’方向にスライド自在に第１収容部１３０内に収容されている。より具体的には、スライダ３００は、第１収容部１３０内の第１位置（図２Ａ及び図２Ｂ参照）と第３位置（図５Ａ及び図５Ｂ参照）との間をカードＭと共にＹ−Ｙ’方向にスライド自在となっている。第１収容部１３０の第１位置と第３位置との間には、第２位置（図４Ａ及び図４Ｂ参照）が設けられている。第１位置は、カードＭが接続位置に位置するときに、スライダ３００が位置する第１収容部１３０内の位置である。第２位置は、カードＭが排出位置に位置するときに、スライダ３００が位置する第１収容部１３０内の位置であって、第１位置よりもＹ方向側に設けられている。第３位置は、カードＭが飛び出し防止位置に位置するときに、スライダ３００が位置する位置であって、第２位置よりもＹ方向側に位置している。
【００４４】
スライダ３００は、図３Ａ及び図３Ｂに最も良く示されているように、本体部３１０と、突起３２０と、突部３３０と、ブロック３４０と、ガイド板３５０と、固定溝３６０と、収容凹部３７０と、窓部３８０とを有している。本体部３１０、突起３２０、突部３３０、ブロック３４０及びガイド板３５０は、絶縁樹脂で一体的に構成されている。
【００４５】
本体部３１０はＹ−Ｙ’方向に延びた直方体のブロックである。本体部３１０は、Ｚ方向側の面と、Ｚ’方向側の面と、Ｘ’方向側の面と、Ｙ方向側の端面とを有している。本体部３１０のＺ方向側の面のＸ方向側の端部には、ガイド溝３１１が設けられている。ガイド溝３１１はＹ−Ｙ’方向に延びている。スライダ３００が第３位置に位置するときに、本体部３１０のＹ方向側の端面は、ボディ１００の支持部１５０に当接可能である（図５Ｂ参照）。
【００４６】
ガイド板３５０はＹ−Ｙ’方向に延びた板であって、本体部３１０のＺ’方向側の面のＸ方向側の端部に設けられている。ガイド板３５０は、Ｘ方向側の面と、Ｘ’方向側の面と、Ｙ’方向側の端部とを有している。
【００４７】
ブロック３４０は、本体部３１０のＺ’方向側の面上のガイド板３５０よりもＸ’方向側の部分に設けられている。ブロック３４０はガイド板３５０のＹ’方向側の端部に一体化されている。ブロック３４０は、Ｘ’方向側の面と、Ｙ方向側の端部と、Ｙ’方向側の端部とを有している。本体部３１０及びブロック３４０のＸ’方向側の面からガイド板３５０のＸ方向側の面までＸ−Ｘ’方向の距離は、ボディ１００の第１収容部１３０のＸ−Ｘ’方向の寸法と略同じ又は若干小さい。本体部３１０及びブロック３４０が第１収容部１３０のＸ’方向側の壁面上をＹ−Ｙ’方向に摺動可能となっており、且つガイド板３５０がボディ１００の第１収容部１３０のＸ方向側の縁に沿ってＹ−Ｙ’方向に摺動可能となっている（図２Ａ、図４Ａ及び図５Ａ参照）。
【００４８】
ブロック３４０のＹ方向側の端部には、略Ｌ字状の固定溝３６０が設けられている。固定溝３６０は、Ｙ方向及びＺ’方向に開放されている。ブロック３４０のＹ’方向側の端部には、略半円柱状の収容凹部３７０が設けられている。収容凹部３７０は、Ｚ’方向及びＹ’方向に開口している。収容凹部３７０には、コイルスプリングである付勢部５００のＹ方向側の端部が挿入されている。付勢部５００のＹ’方向側の端部は、第１収容部１３０の上記Ｙ’方向側の壁に当接している。付勢部５００のＹ’方向側の端部内には、第１収容部１３０の円柱１３１が挿入されている。このように付勢部５００がスライダ３００と第１収容部１３０のＹ’方向側の壁との間に介在している。スライダ３００が第１位置に位置するとき、付勢部５００がスライダ３００と第１収容部１３０のＹ’方向側の壁との間で圧縮される。この付勢部５００の付勢力によって、第１位置に位置するスライダ３００にＹ方向（排出方向）への復帰力が付与される。
【００４９】
突部３３０は、ガイド板３５０のＸ方向側の面に設けられた直方体である。突部３３０は、図１Ｃに最も良く示されているように、スロット１１０内にＹ−Ｙ’方向に移動自在に配置されている。突部３３０の外形は、図２Ａ、図４Ａ及び図５Ａに示されるように、カードＭの嵌合凹部Ｍ２の内形に対応している。突部３３０がカードＭの嵌合凹部Ｍ２に嵌合可能な部分である。突部３３０がカードＭの嵌合凹部Ｍ２に嵌合することによって、スライダ３００がカードＭと共にＹ−Ｙ’方向にスライド自在となっている。
【００５０】
突起３２０は、図３Ｂに最も良く示されているように、本体部３１０のＺ’方向側の面のガイド板３５０よりもＹ方向側の部分に間隙を有して設けられている。突起３２０は、略Ｌ字状のブロックであって、本体部３１０のＹ方向側の端面よりもＹ方向側に突出している。突起３２０のＸ−Ｘ’方向の寸法は、本体部３１０のＸ−Ｘ’方向の寸法よりも小さく且つボディ１００の連通孔１６０のＸ−Ｘ’方向の寸法よりも若干小さい。スライダ３００が第２位置及び第３位置に位置するときに、突起３２０が、ボディ１００の連通孔１６０から挿入孔１４０内に挿入可能となっている（図４Ｂ及び図５Ｂ参照）。突起３２０とガイド板３５０との間の間隙が窓部３８０となっている。
【００５１】
スライダ３００は、係合部４００を更に有している。係合部４００は、金属製のロックバネであって、スライダ３００と共にボディ１００の第１収容部１３０内にＹ−Ｙ’方向に移動自在に収容されている。係合部４００は、図２Ａ〜図５Ｂに示されるように、固定部４１０と、鉤部４２０と、アーム４３０とを有している。固定部４１０は略Ｌ字状の板であって、スライダ３００のブロック３４０の固定溝３６０に嵌合している。このように係合部４００がスライダ３００のブロック３４０に固定されている。アーム４３０は、Ｙ−Ｙ’方向に延びた板であって、固定部４１０と鉤部４２０とを繋いでいる。アーム４３０は、スライダ３００のガイド板３５０の上記Ｘ’方向側の面に沿って配置されている。アーム４３０はＸ−Ｘ’方向に弾性変形可能である。鉤部４２０は、鉤状に折り曲げられた板であって、アーム４３０の弾性変形に応じてＸ−Ｘ’方向に変位可能である。鉤部４２０は、第１Ｖ部及び第２Ｖ部を有している。鉤部４２０の第１Ｖ部は、Ｘ方向に略Ｖ字状に折り曲げられた部分であって、スライダ３００の窓部３８０からＸ方向に突出し、ボディ１００のスロット１１０内に配置されている。鉤部４２０の第１Ｖ部がカードＭの係合凹部Ｍ１に係合可能な部位である。鉤部４２０の第２Ｖ部は、Ｘ’方向に略Ｖ字状に折り曲げられた部分である。鉤部４２０の第２Ｖ部と、ボディ１００の当接部１３２の第１面１３２ａに沿ってＹ−Ｙ’方向に延びる仮想線α（図２Ａ参照）との位置関係は以下の通りである。１）鉤部４２０の第２Ｖ部の頂点が、仮想線αよりもＸ’方向側に位置している。２）鉤部４２０の第２Ｖ部が当接部１３２の第２面１３２ｂに当接可能である。３）スライダ３００が第２位置から第３位置へ移動するとき、鉤部４２０の第２Ｖ部が、当接部１３２の角部１３２ｃを乗り越えて、第１面１３２ａに当接可能である。
【００５２】
スライダ３００が第２位置に位置しているとき、鉤部４２０はボディ１００の許容空間１３３内に配置される。このため、鉤部４２０は、Ｘ’方向（特許請求の範囲の脱方向）に変位可能となる。換言すると、係合部４００は、許容空間１３３内で部分的にＸ’方向に変位可能となっている。カードＭがＹ方向に移動することによって、カードＭの係合凹部Ｍ１のＹ’方向側の縁部が、鉤部４２０の第１Ｖ部を押圧する。この押圧によって、鉤部４２０が許容空間１３３内でＸ’方向側に変位するため、カードＭの係合凹部Ｍ１と鉤部４２０の第１Ｖ部との係合が解除され、カードＭが上記排出位置でボディ１００のスロット１１０から排出可能となる。このようにスライダ３００の第２位置は、係合部４００の鉤部４２０が許容空間１３３に位置するときに、スライダ３００が位置する第１収容部１３０内の位置でもある。
【００５３】
スライダ３００が第３位置に位置しているとき、鉤部４２０の第２Ｖ部が当接部１３２の第１面１３２ａにＸ方向側から当接する。換言すると、当接部１３２が鉤部４２０の第２Ｖ部にＸ’方向側から当接する。この当接によって鉤部４２０がＸ’方向に変位不能となる。このため、鉤部４２０の第１Ｖ部とカードＭの係合凹部Ｍ１との係合が維持されるので、付勢部５００の付勢力によって、スライダ３００と共にＹ方向に移動するカードＭが上記飛び出し防止位置でボディ１００のスロット１１０から飛び出すことが防止される。このようにスライダ３００の第３位置は、係合部４００の鉤部４２０が当接部１３２に当接するときに、スライダ３００が位置する第１収容部１３０内の位置でもある。
【００５４】
ハートカム機構Ｈは、カム溝Ｈ１と、略Ｕ字状のピンＨ２とを有している。カム溝Ｈ１は、図１Ｃに最も良く示されているように、本体部３１０のＺ方向側の面に設けられている。ピンＨ２は長さ方向の第１端及び第２端を有している。ピンＨ２の第１端がボディ１００の支持部１５０に回転自在に軸支されている。ピンＨ２の第２端は、スライダ３００の移動に応じてカム溝Ｈ１内を移動自在となるように、当該カム溝Ｈ１内に挿入されている。カム溝Ｈ１は、スライダ３００が第１位置を越えてＹ’方向に押し込まれると、ピンＨ２の第２端を位置固定する一方、再度Ｙ’方向に押し込むことによって当該位置固定を解除する形状となっている。
【００５５】
カバー７００は、金属板で構成されている。カバー７００は、図３Ａ及び図３Ｂに最も良く示されているように、カバー本体７１０と、板バネ７２０と、押え板７３０と、ガイド７４０とを有している。カバー本体７１０は、ボディ１００のスロット１１０及び第１収容部１３０をＺ方向側から覆うようにボディ１００に取り付けられている。カバー本体７１０は、主板７１１と、一対の側板７１２と、背板７１３とを有している。主板７１１は矩形状の板である。主板７１１のＸ−Ｘ’方向の寸法は、ボディ１００のＸ−Ｘ’方向の寸法よりも若干大きい。主板７１１は、Ｘ方向側の端と、Ｘ’方向側の端と、Ｙ方向側の端と、Ｙ’方向側の端とを有している。側板７１２の一方は、主板７１１のＸ方向側の端からＺ’方向に延びた板であって、ボディ１００のＸ方向側の外面に当接している。側板７１２の他方は、主板７１１のＸ’方向側の端からＺ’方向に延びた板であって、ボディ１００のＸ’方向側の外面に当接している。各側板７１２には、複数の係合孔７１２ａがＹ−Ｙ’方向に間隔をあけて設けられている。背板７１３は、Ｙ’方向側の端からＺ’方向に延びた板であって、ボディ１００のＹ’方向側の外面に当接している。背板７１３には、複数の係合孔７１３ａがＸ−Ｘ’方向に間隔をあけて設けられている。係合孔７１２ａにボディ１００の第１係合突部１８０が各々係合され、係合孔７１３ａにボディ１００の第２係合突部が各々係合されている。このようにしてカバー本体７１０がボディ１００に取り付けられている。
【００５６】
板バネ７２０は、主板７１１に一体的に設けられた略Ｖ字状の板である。板バネ７２０は、基部７２１と、先端部７２２とを有している。基部７２１は、主板７１１のＹ方向の端のＸ’方向側の端部からＹ方向に延びた板である。基部７２１は、支持部１５０上に位置し、支持部１５０に支持されている。先端部７２２は、基部７２１のＹ方向側の端からＺ’方向及びＹ’方向の成分を含む方向に延びた板である。先端部７２２は、ボディ１００の挿入孔１４０に挿入されている。先端部７２２は、第２位置に位置するスライダ３００の突起３２０に弾性的に当接可能であり、且つ第２位置から第３位置へ移動するスライダ３００の突起３２０によって押圧され、Ｙ方向（排出方向）に弾性変形可能である。スライダ３００の突起３２０が先端部７２２を押圧することにより当該先端部７２２にかかる荷重により、基部７２１がＺ方向（ボディ１００から離れる方向）に弾性変形可能である。この板バネ７２０の先端部７２２及び基部７２１の弾性変形により、付勢部５００に付与されたスライダ３００のＹ方向への移動の勢いが抑制され、且つスライダ３００が第３位置から第２位置へ押し戻される。なお、図５Ｂでは、基部７２１のＺ方向の弾性変形が表れていない。
【００５７】
押え板７３０は、主板７１１の板バネ７２０のハートカム機構Ｈに対応する部分が切り欠かれて形成された板である。押え板７３０は、Ｚ’方向及びＹ’方向の成分を含む方向に傾斜している。押え板７３０がハートカム機構ＨのピンＨ２に弾性的に当接している。これにより、ピンＨ２のＺ方向への浮き上がりが防止されている。
【００５８】
ガイド７４０は、主板７１１のスライダ３００のガイド溝３１１に対応する部分が切り欠かれて形成された板である。ガイド７４０は、Ｚ’方向に延びている。ガイド７４０のＸ−Ｘ’方向の厚み寸法がガイド溝３１１のＸ−Ｘ’方向の寸法よりも若干小さい。ガイド７４０がガイド溝３１１内にＹ−Ｙ’方向に移動自在に挿入されている。これにより、スライダ３００のＹ−Ｙ’方向の移動が安定する。
【００５９】
以下、上記した構成のカードコネクタＣの組み立て手順について詳しく説明する。まず、ボディ１００及び端子２００を用意する。端子２００をボディ１００の保持溝１２０に各々挿入する。これにより、端子２００がボディ１００にＸ−Ｘ’方向に間隔をあけて保持される。その後、第１スイッチ端子６００ａ及び第２スイッチ端子６００ｂを用意する。第１スイッチ端子６００ａをボディ１００の第２収容部１７０に収容させ、ボディ１００に保持させる。このとき、第１スイッチ端子６００ａの傾斜部６２０ａの折曲部が第２収容部１７０のＸ’方向側の開口からスロット１１０内に配置される。その後、第２スイッチ端子６００ｂをボディ１００の第２収容部１７０に収容させ、ボディ１００に保持させる。すると、傾斜部６２０ｂの自由端部の先端が、傾斜部６２０ａの自由端部の先端のＸ方向側に間隙を有して対向配置される。
【００６０】
その一方で、スライダ３００を用意する。係合部４００の固定部４１０をスライダ３００の固定溝３６０に保持させる。これにより、係合部４００がスライダ３００の本体部３１０のＺ’方向側に配置される。具体的には、係合部４００のアーム４３０がスライダ３００のガイド板３５０よりＸ’方向側に配置され、係合部４００の鉤部４２０がスライダ３００の窓部３８０からＸ方向側に部分的に突出する。
【００６１】
その後、付勢部５００を用意する。付勢部５００のＹ方向側の端部をスライダ３００の収容凹部３７０内に挿入する。この状態で、付勢部５００のＹ’方向側の端部内に、ボディ１００の第１収容部１３０の円柱１３１を挿入させ、且つ付勢部５００のＹ’方向側の端部を第１収容部１３０のＹ’方向側の壁に当接させる。そして、付勢部５００をスライダ３００と第１収容部１３０のＹ’方向側の壁との間で圧縮させながら、付勢部５００、スライダ３００及び係合部４００を第１収容部１３０内に収容させる。このとき、スライダ３００の突部３３０及び係合部４００の鉤部４２０の第１Ｖ部がスロット１１０内に配置される。
【００６２】
その後、カバー７００を用意する。付勢部５００を圧縮させ、スライダ３００を第２位置よりもＹ’方向側に位置させた状態で、カバー７００のカバー本体７１０がボディ１００のスロット１１０及び第１収容部１３０をＺ方向側から覆うように、カバー本体７１０をボディ１００に取り付ける。これと共に、板バネ７２０の基部７２１をボディ１００の支持部１５０上にＺ方向側から載置し、板バネ７２０の先端部７２２をボディ１００の挿入孔１４０にＺ方向側から挿入する。その後、付勢部５００を解放する。すると、スライダ３００は、付勢部５００のＹ方向への付勢力と、板バネ７２０のＹ’方向への付勢力とのバランスによって、第２位置に位置する。このようにしてカードコネクタＣが組み立てられる。
【００６３】
以下、上記カードコネクタＣにカードＭを接続する手順について詳しく説明する。まず、カードＭをカードコネクタＣのスロット１１０に挿入する。すると、係合部４００の鉤部４２０がカードＭの嵌合凹部Ｍ２のＹ方向側の壁にＸ’方向に押圧され、許容空間１３３でＸ’方向側に変位し、アーム４３０がＸ’方向側に弾性変形する。その後、スライダ３００の突部３３０が第２位置でカードＭの嵌合凹部Ｍ２に嵌合すると共に、カードコネクタＣの係合部４００の鉤部４２０がＸ方向に変位してカードＭの係合凹部Ｍ１に挿入され、アーム４３０が復元する。これにより、鉤部４２０が係合凹部Ｍ１に係合される。
【００６４】
その後、カードＭを排出位置から接続位置にかけて移動させ、カードＭを接続位置を越えてＹ’方向に押し込む。これに伴って、スライダ３００及び係合部４００が第２位置から第１位置に移動し、第１位置を越えてＹ’方向側に押し込まれる。これにより、ハートカム機構Ｈがスライダ３００を第１位置で位置固定する。カードＭが接続位置へ移動する過程で、カードＭの電極Ｍ３が端子２００に各々接触する。これと共に、カードＭが傾斜部６２０ａの折曲部をＸ方向に押圧する。この押圧により傾斜部６２０ａがＸ方向に弾性変形し、傾斜部６２０ａの先端が傾斜部６２０ｂの先端に接触する。これにより、上記位置検出スイッチがオンになる。スライダ３００の第２位置から第１位置への移動の過程で、付勢部５００がスライダ３００と第１収容部１３０のＹ’方向側の壁との間で圧縮される。以上の通り、カードＭが接続位置でカードコネクタＣに接続される。
【００６５】
以下、上記カードコネクタＣからカードＭを取り出す手順について詳しく説明する。まず、カードＭを接続位置を越えてＹ’方向に押し込む。これにより、ハートカム機構Ｈのスライダ３００に対する位置固定が解除される。
【００６６】
付勢部５００の付勢力によって、スライダ３００及び係合部４００が第１位置から第２位置へと移動する場合、カードＭは、スライダ３００の突部３３０に押圧され、スライダ３００と共に、接続位置から排出位置へ移動する。カードＭが接続位置からＹ方向に移動すると、傾斜部６２０ａが復元してＸ’方向に移動し、傾斜部６２０ａの先端が傾斜部６２０ｂの先端から離れる。これにより、上記位置検出スイッチがオフになる。
【００６７】
スライダ３００が第２位置に位置すると、スライダ３００の突起３２０がボディ１００の連通孔１６０から挿入孔１４０に挿入され、カバー７００の板バネ７２０に弾性的に当接する。これと共に、係合部４００の鉤部４２０がボディ１００の当接部１３２の第２面１３２ｂに当接する。これにより、鉤部４２０がボディ１００の許容空間１３３内に位置する。カードＭをＹ方向に引っ張ると、鉤部４２０がカードＭの係合凹部Ｍ１のＹ’方向側の縁部に押圧され、Ｘ’方向側に変位し、アーム４３０がＸ’方向側に弾性変形する。よって、カードＭを排出位置でスロット１１０から容易に取り出すことができる。
【００６８】
付勢部５００の付勢力によって、スライダ３００及び係合部４００が第１位置から第３位置へと移動する場合、カードＭは、スライダ３００の突部３３０に押圧され、スライダ３００と共に、接続位置から飛び出し防止位置へ移動する。カードＭが接続位置からＹ方向に移動すると、上記の通り、位置検出スイッチがオフになる。
【００６９】
スライダ３００が第２位置から第３位置へ移動する過程で、スライダ３００の突起３２０がボディ１００の連通孔１６０から挿入孔１４０に挿入され、板バネ７２０の先端部７２２をＹ方向に押圧して弾性変形させ、且つ板バネ７２０の基部７２１をＺ方向に弾性変形させる。これにより、スライダ３００、係合部４００及びカードＭのＹ方向への移動の勢いが抑制される。これと共に、係合部４００の鉤部４２０がボディ１００の当接部１３２の角部１３２ｃを乗り越えて、当該鉤部４２０がＸ方向側に変位し、アーム４３０がＸ方向側に弾性変形する。スライダ３００が第３位置に位置すると、ボディ１００の当接部１３２の第１面１３２ａが係合部４００の鉤部４２０にＸ’方向側から当接する。これにより、鉤部４２０のＸ’方向側への変位が防止され、鉤部４２０とカードＭの係合凹部Ｍ１とが係合した状態が維持される。よって、カードＭが飛び出し防止位置でスロット１１０からＹ方向に飛び出すことが防止される。その後、板バネ７２０の基部７２１及び先端部７２２が復元する。この復元によって、スライダ３００が第３位置から第２位置へ押し戻される。スライダ３００が第２位置に位置すると、鉤部４２０が許容空間１３３内に位置する。カードＭをＹ方向に引っ張ることにより、上記の通り、カードＭを排出位置でスロット１１０から容易に取り出すことができる。
【００７０】
以上のようなカードコネクタＣは、以下の技術的特徴及び効果を奏する。第１に、カードコネクタＣの部品点数の低減を図ることができる。なぜなら、カバー７００の板バネ７２０が、次の１）〜３）の役割を果たしている。１）板バネ７２０が第２位置でスライダ３００にＹ’方向側から弾性的に当接することにより、スライダ３００を第２位置でストップさせることが可能である。２）板バネ７２０が第２位置から第３位置へ移動するスライダ３００の移動の勢いを抑制する。３）板バネ７２０がスライダ３００を第３位置から第２位置へ押し戻す。よって、カードコネクタＣは、当該役割を果たすためのコイルスプリング等の弾性体の分、部品点数を低減することができる。
【００７１】
第２に、カードコネクタＣの組み立てが容易になる。前述のとおり、カードコネクタＣの部品点数が低減されているからである。しかも、カバー７００のカバー本体７１０をボディ１００にＺ方向側から取り付けると共に、カバー７００の板バネ７２０の先端部７２２をボディ１００の挿入孔１４０にＺ方向側から挿入することができる。すなわち、カバー本体７１０のボディ１００に対する取り付けと、板バネ７２０の先端部７２２のボディ１００内への配置を同時に行うことができる。
【００７２】
第３に、カードコネクタＣは小型化させることができる。上記の通りカバー７００の板バネ７２０のボディ１００内の収容スペースは、上記弾性体をボディ内に収容するスペースに比べて小さくすることができるからである。
【００７３】
第４に、付勢部５００の付勢力によって、スライダ３００及びカードＭが第２位置を越えてＹ方向の移動する勢いを好適に抑制することができる。板バネ７２０の先端部７２２が第２位置から第３位置へ移動するスライダ３００に押圧されることによって、Ｙ方向に弾性変形すると共に、板バネ７２０の基部７２１が先端部７２２の弾性変形に応じてＺ方向に弾性変形するからである。
【００７４】
第５に、板バネ７２０のぐらつきが防止される。なぜなら、板バネ７２０の基部７２１が支持部１５０に支持されているため、カードコネクタＣに外部から振動や衝撃が加わったとしても、当該振動や衝撃による板バネ７２０のぐらつきが防止される。
【００７５】
なお、本発明のカードコネクタは、上記実施例に限定されるものではなく、特許請求の範囲の記載範囲において任意に設計変更することが可能である。以下、詳しく述べる。
【００７６】
本発明のカードは、本発明のカードコネクタのスロットに挿脱自在である限り、どのようなものであっても良い。例えば、本発明のカードは、上記したカード以外のメモリーカードや、ゲームプログラムなどが記録されたＲＯＭカード等とすることが可能である。本発明のカードは、上記実施例又は後記する設計変形例の係合部に係合可能な係合凹部を少なくとも有していると良いが、これに限定されるものではない。
【００７７】
本発明のカードコネクタは、上記実施例又は後記する設計変形例のボディ、スロット、付勢部及びカバーを備えている限り任意に設計変更することが可能である。
【００７８】
本発明のボディは、上記した何れかの態様のカードが挿脱可能なスロットと、当該ボディ内に上記実施例又は後記する設計変形例のスライダをカードと共に挿脱方向（第１方向）にスライド自在に収容し得る第１収容部とを有する限り任意に設計変更することが可能である。
【００７９】
本発明のボディの第１収容部内には、少なくとも第１位置及び第２位置が設けられていれば良い。本発明のボディの第１収容部内の第１位置は、任意に設定可能である。本発明のボディの第１収容部内の第２位置は、上記した何れかの態様の第１位置よりもカードの排出方向（第１方向の一方）側に位置する第２位置が設けられていれば良い。
【００８０】
例えば、第２位置は、カードがスロットから排出可能な排出位置に位置するときに、スライダが位置する第１収容部内の位置とすることが可能である。この場合、第１収容部内の第２位置よりも排出方向側に第３位置を設けることが可能である。この第３位置は、カードがスロットからの飛び出しを防止される飛び出し防止位置に位置するときに、スライダが位置する第１収容部内の位置にすることが可能である。又は、第２位置は、カードがスロットからの飛び出しを防止される飛び出し防止位置に位置するときに、スライダが位置する第１収容部内の位置にすることが可能である。この場合、第１収容部内の第１位置と第２位置との間に、第３位置を設けることが可能である。この第３位置は、カードがスロットから排出可能な排出位置に位置するときに、スライダが位置する第１収容部内の位置にすることが可能である。
【００８１】
上記した何れかの態様のボディの第１収容部内には、カードが排出位置に位置し、且つスライダが第２位置又は第３位置に位置しているときに、上記実施例又は後記する設計変形例の係合部がカードの係合凹部から脱する脱方向への変位を許容する許容空間が設けられていても良い。上記した何れかの態様のボディの第１収容部内には、上記した何れかの態様の許容空間よりも排出方向側に当接部が設けられても良い。この当接部は、カードが飛び出し防止位置に位置し、且つスライダが第３位置又は第２位置に位置しているときに、脱方向側から係合部に当接して当該係合部の脱方向への変位を不能にするようになっていると良い。
【００８２】
上記した何れかの態様の第１収容部は、上記した何れかの態様のボディ内のスロットより第１方向に交差する第２方向の何れか一方側に設けられており且つ当該スロットに連通していれば良い。
【００８３】
本発明のボディの第２収容部及び位置検出スイッチは省略可能である。本発明のボディの第２収容部は、上記した何れかの態様のボディに設けられており且つ上記した何れかの態様のカードが接続位置に位置したことを検出することができる位置検出スイッチ又は位置検出センサを収容可能である限り任意に設定可能である。
【００８４】
本発明のボディの挿入孔は省略可能である。本発明のボディの挿入孔は、上記した何れかの態様のボディの第１収容部よりも排出方向側に設けられている限り任意に設計変更することが可能である。本発明のボディの挿入孔は、上記した何れかの態様の第１収容部と一体化することが可能である。上記した何れかの態様の挿入孔は、有底の孔であっても良い。上記した何れかの態様の挿入孔は、上記した何れかの態様のスロットと同じ方向に開口しても良いし、異なる方向に開口しても良い。例えば、上記した何れかの態様の挿入孔は、第２方向の何れか一方側に開口しても良い。この場合、板バネは、カバー本体の側板に連接され、第２方向の何れか一方側から挿入孔に挿入される構成とすると良い。
【００８５】
本発明のボディの支持部及び連通孔は省略可能である。本発明のボディの支持部は、上記した何れかの態様のボディの収容部と挿入孔との間に設けられている限り任意に設計変更することが可能である。例えば、支持部は、板バネの基部を支持しない構成とすることが可能である。本発明のボディの連通孔は、上記した何れかの態様のボディの支持部を貫通し、上記した何れかの態様の収容部及び挿入孔を連通させる孔である限り任意に設計変更することが可能である。
【００８６】
本発明のスライダは、上記した何れかの態様のカードと共に、少なくとも上記した何れかの態様のボディ内の少なくとも第１位置と第２位置との間をスライド自在となるように、当該ボディ内に設けられている限り任意に設計変更することが可能である。
【００８７】
本発明のスライダの突起、突部、ガイド板、ブロック、固定溝、収容凹部及び／又は窓部は省略可能である。本発明のスライダの本体部が上記した何れかの態様の第１収容部に挿脱方向にスライド自在に収容された構成とすることが可能である。
【００８８】
本発明の付勢部は、上記した何れかの態様のスライダを上記した何れかの態様の第１位置で排出方向に付勢することができる弾性体である限り任意に設計変更することが可能である。例えば、付勢部は、コイルスプリング以外のスプリング、板バネ等のバネ又はゴム等とすることが可能である。
【００８９】
本発明のスライダの係合部は省略可能である。本発明のスライダの係合部は、以下の構成を有する限り任意に設計変更することが可能である。第１に、係合部は、上記した何れかの態様のスライダに設けられている。第２に、係合部は、上記した何れかの態様のカードの係合凹部に係合可能である。第３に、係合部は、上記した何れかの態様のカードの係合凹部から脱する脱方向に少なくとも部分的に変位可能である。例えば、係合部は、当該係合部全体が上記した何れかの許容空間で、上記した何れかの態様のスライダに対して脱方向に回動するように、当該スライダの本体部に設けられていても良い。また、係合部は、上記した何れかの許容空間で、上記した何れかの態様のスライダと共に脱方向に変位可能な構成とすることも可能である。この場合、係合部は、スライダと一体化されるように樹脂で構成されていても良い。
【００９０】
本発明のカバーは、上記した何れかの態様の又は後記する設計変形例のカバー本体及び板バネを有する限り任意に設計変更することが可能である。本発明のカバー本体は、上記した何れかの態様のスロットを覆うように、上記した何れかの態様のボディに固着されている限り任意に設計変更することが可能である。
【００９１】
本発明のカバーの板バネは以下の構成を有する限り任意に設計変更することが可能である。第１に、板バネが上記した何れかの態様のカバー本体に設けられている。第２に、板バネの少なくとも一部が、上記した何れかの態様のボディ内に配置されている。第３に、板バネの少なくとも一部が、上記した何れかの態様のスライダに、上記した何れかの態様の第１位置よりも排出方向（第１方向の一方）側で挿入方向（第１方向の他方）側から弾性的に当接可能である。本発明のカバーの板バネは、カバー本体の主板又は側板に設けられ、カバー本体の主板又は側板に対して折り曲げられ、且つ、上記した何れかの態様のボディの挿入孔又は第１収容部内に挿入された構成とすることが可能である。板バネがカバー本体の側板に設けられた一例が、図６Ａ及び図６Ｂに示されている。
【００９２】
図６Ａに示されるコネクタＣ’では、カバー７００’の板バネ７２０’がカバー本体７１０の側板のＹ方向側の端に連接されている。板バネ７２０’は、上記実施例の板バネ７２０と略同じ形状であって、基部７２１’と、先端部７２２’とを有する。基部７２１’は、ボディ１００’のＸ’方向側の端面に部分的に当接している。先端部７２２’は、ボディ１００’の挿入孔１４０’にＸ’方向側から挿入されている。これ以外は、基部７２１’及び先端部７２２’は、上記実施例の基部７２１及び先端部７２２と同じ構成であるので、重複する説明は省略する。挿入孔１４０’は、Ｘ’方向に開口するように、ボディ１００’の第１収容部１３０のＹ方向側に設けられている。
【００９３】
また、図６Ｂに示されるコネクタＣ’’では、カバー７００’’の板バネ７２０’’がカバー本体７１０’’の側板に設けられている。板バネ７２０’’は、カバー本体７１０’’の側板からＹ方向及びＸ方向の成分を含む方向に斜めに延びた金属板であって、ボディ１００’’の第１収容部１３０’’内の第１位置に位置するスライダ３００よりもＹ方向側に配置されている。スライダ３００が第１位置から第２位置へ移動する過程で、板バネ７２０’’がスライダ３００にＹ’方向側から弾性的に当接する。これにより、スライダ３００のＹ方向への移動の勢いが抑制される。板バネ７２０’’がスライダ３００に押圧されることにより、板バネ７２０’’は、Ｘ’方向に弾性変形する。第１収容部１３０’’は、板バネ７２０’’を挿入するためのＸ’方向の開口１３４’’を有している。コネクタＣ’及びＣ’’の上記以外の構成は、上記実施例のコネクタＣと同じであるので、重複する説明は省略する。
【００９４】
板バネ７２０’’は、板バネ７２０’のような形状とすることが可能である。又は、板バネ７２０又は７２０’は、板バネ７２０’’のような形状とすることが可能である。
【００９５】
本発明の板バネの先端部は、上記実施例又は後記する設計変形例の基部に連続しており且つ当該基部に対して折り曲げられている限り任意に設計変更することが可能である。上記した何れかの態様の板バネの先端部は、上記した何れかの態様の第１収容部又は挿入孔内に配置されていても良い。
【００９６】
本発明の板バネは、基部が省略された構成とすることが可能である。本発明の板バネの基部は、上記した何れかの態様のカバー本体から排出方向に延びた板である限り任意に設計変更することが可能である。上記した何れかの態様の板バネの基部は、上記した何れかの態様の第１収容部又は挿入孔内に配置されていても良い。上記した何れかの態様の板バネの基部は、上記した何れかの態様の板バネの先端部にかかる荷重により、上記した何れかの態様のボディから離れる方向に弾性変形可能な構成とすることが可能である。
【００９７】
上記した何れかの態様の板バネは、上記した何れかの態様のスライダに、上記した何れかの態様の第２位置で挿入方向（第１方向の他方）側から弾性的に当接する構成としても良いし、上記した何れかの態様の第２位置から第３位置へスライドするスライダによって排出方向に押圧されることにより、排出方向に弾性変形可能な構成としても良い。なお、板バネには、上記当接及び／又は押圧により荷重がかかる。上記した何れかの態様の板バネが弾性的に当接するスライダの部位は任意に設定することが可能である。例えば、上記した何れかの態様の板バネが、ボディ内の第１位置よりも排出方向側でスライダの本体部又はスライダの係合部に弾性的に当接する構成とすることが可能である。上記した何れかの態様の板バネは、カバー本体の端に一体的に連接されていても良いし、カバー本体の一部を切り欠いて作成されていても良い。
【００９８】
本発明の端子は、上記した何れかの態様のボディに保持されており且つカードの電極にスロット内で接触可能である限り任意に設計変更することが可能である。例えば、端子は、ボディにインサート成形されていても良い。本発明のハートカム機構は省略可能である。
【００９９】
なお、上記実施例及び設計変形例におけるカードコネクタの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【０１００】
Ｃ：カードコネクタ
１００：ボディ
１１０：スロット
１２０：保持溝
１３０：第１収容部（特許請求の範囲の収容部）
１３１：円柱
１３２：当接部
１３３：許容空間
１４０：挿入孔
１５０：支持部
１６０：連通孔
１７０：第２収容部
１８０：第１係合突部
２００：端子
３００：スライダ
３１０：本体部
３１１：ガイド溝
３２０：突起
３３０：突部
３４０：ブロック
３５０：ガイド板
３６０：固定溝
３７０：収容凹部
３８０：窓部
４００：係合部
４１０：固定部
４２０：鉤部
４３０：アーム
５００：付勢部
６００ａ：第１スイッチ端子
６００ｂ：第２スイッチ端子
７００：カバー
７１０：カバー本体
７１１：主板
７１２：側板
７１３：背板
７２０：板バネ
７２１：基部
７２２：先端部
７３０：押え板
７４０：ガイド
Ｈ：ハートカム機構
Ｈ１：カム溝
Ｈ２：ピン
Ｍ：カード
Ｍ１：係合凹部
Ｍ２：嵌合凹部
Ｍ３：電極
【図１Ａ】
0006346069.tif 000002
【図１Ｂ】
0006346069.tif 000003
【図１Ｃ】
0006346069.tif 000004
【図２Ａ】
0006346069.tif 000005
【図２Ｂ】
0006346069.tif 000006
【図３Ａ】
0006346069.tif 000007
【図３Ｂ】
0006346069.tif 000008
【図４Ａ】
0006346069.tif 000009
【図４Ｂ】
0006346069.tif 000010
【図５Ａ】
0006346069.tif 000011
【図５Ｂ】
0006346069.tif 000012
【図６Ａ】
0006346069.tif 000013
【図６Ｂ】
0006346069.tif 000014